(57)【要約】      （修正有）【課題】小さな荷重で圧入を行うことができる安価かつ小型の圧入装置を提供する。【解決手段】周期的に変化する磁界に応じて周期的に伸縮変形して、圧入すべき部品Ｐを起振する超磁歪素子を内蔵した起振体３と、起振された部品Ｐを、起振体３を介して押圧して、部品Ｐを被圧入部材Ｒに圧入するエアシリンダ２と、周期的に変化する磁界を超磁歪素子に作用させて当該超磁歪素子を伸縮変形させる駆動回路５１とを備え、かつ駆動回路５１は圧入過程において、上記磁界変化の周波数および／又は強度を漸次変更するように設定されている。【選択図】図１
2007030063.tif 000002
【特許請求の範囲】
【請求項１】
周期的に変化する磁界に応じて周期的に伸縮変形して、圧入すべき部品を起振する超磁歪素子と、起振された部品を、前記超磁歪素子を介して押圧して、前記部品を前記被圧入部材に圧入する押圧手段と、周期的に変化する磁界を前記超磁歪素子に作用させて当該超磁歪素子を伸縮変形させる駆動手段とを備え、かつ前記駆動手段は圧入過程において、前記磁界変化の周波数および／又は強度を漸次変更するように設定されていることを特徴とする圧入装置。
【請求項２】
圧入荷重に応じた前記超磁歪素子の透磁率変化を検出してこれに応じた検出信号を発する検出手段をさらに設けた請求項１に記載の圧入装置。
【請求項３】
前記複数の部品について、各部品を圧入する際の前記磁界変化の周波数および／又は強度の変更過程を記憶しておく記憶手段と、圧入される各部品に応じて、記憶された前記変更過程の一つを選択して前記駆動手段に実行させる選択手段とをさらに設けた請求項１又は２に記載の圧入装置。
【発明の詳細な説明】
【技術分野】
【０００１】
本発明は圧入装置に関し、特に、振動を利用して圧入を行う圧入装置に関する。
【背景技術】
【０００２】
エンジンのシリンダヘッドのポート開口内にバルブシートを圧入する圧入装置等においては、従来、油圧シリンダで圧入ヘッドを作動させて１〜２ｔ程度の大きな荷重をバルブシートに印加することにより圧入している。なお、特許文献１には超音波を印加しながら圧入する方法が記載されている。  
【特許文献１】特開昭５０−３６３４３
【発明の開示】
【発明が解決しようとする課題】
【０００３】
しかし、上記従来の圧入装置は、圧入に大きな荷重を要するために装置が大型化するという問題があった。
【０００４】
そこで本発明はこのような課題を解決するもので、小さな荷重で圧入を行うことができる安価かつ小型の圧入装置を提供することを目的とする。
【課題を解決するための手段】
【０００５】
上記目的を達成するために、本第１発明では、周期的に変化する磁界に応じて周期的に伸縮変形して、圧入すべき部品（Ｐ）を起振する超磁歪素子（３２）と、起振された部品（Ｐ）を、超磁歪素子（３２）を介して押圧して、部品（Ｐ）を被圧入部材（Ｒ）に圧入する押圧手段（２）と、周期的に変化する磁界を超磁歪素子（３２）に作用させて当該超磁歪素子（３２）を伸縮変形させる駆動手段（５１）とを備え、かつ駆動手段（５１）は圧入過程において、上記磁界変化の周波数および／又は強度を漸次変更するように設定されている。
【０００６】
本第１発明においては、磁界の作用により伸縮変形させられる超磁歪素子で圧入すべき部品を起振しつつ圧入しているから、小さな荷重で圧入を行うことができる。そして、圧入時には磁界変化の周波数および／又は強度を漸次変更して、超磁歪素子による部品の起振周波数と起振量を最適なものにするから、圧入がよりスムーズになされる。
【０００７】
本第２発明では、圧入荷重に応じた上記超磁歪素子（３２）の透磁率変化を検出してこれに応じた検出信号を発する検出手段（３４，５２）をさらに設ける。
【０００８】
本第２発明において、超磁歪素子はこれに印加される荷重（すなわち圧入荷重）に応じてその透磁率が変化する。したがって、圧入荷重を検出するためのロードセル等を使用することなく、上記検出手段により圧入荷重の変化を簡易かつ安価に検出することができる。そして、検出された圧入荷重の変化より、圧入の可否を判定することもできる。
【０００９】
本第３発明では、複数の上記部品（Ｐ）について、各部品（Ｐ）を圧入する際の上記磁界変化の周波数および／又は強度の変更過程を記憶しておく記憶手段と、圧入される各部品（Ｐ）に応じて、記憶された上記変更過程の一つを選択して駆動手段（５１）に実行させる選択手段とをさらに設ける。
【００１０】
本第３発明においては、圧入する部品が変更されても、これに最適な圧入条件が即座に選択されてスムーズな圧入がなされる。
【００１１】
なお、上記カッコ内の符号は、後述する実施形態に記載の具体的手段との対応関係を示すものである。
【発明の効果】
【００１２】
以上のように、本発明によれば、小さな荷重で圧入を行うことができ、圧入装置を安価で小型のものとできる。
【発明を実施するための最良の形態】
【００１３】
図１に圧入装置の構成を示す。図１において、架台ＳＴに支持されて圧入器１が設けられており、当該圧入器１はエアシリンダ２と、エアシリンダ２の下面に固定された起振体３と、当該起振体３の下面に固定されてエアシリンダ２によって上下に移動させられる圧入ヘッド４とを備えている。
【００１４】
図２に起振体３の詳細を示す。起振体３にはハウジング３１の中心に棒状の超磁歪素子３２が配設されており、その周囲には検出用コイル３３と駆動用コイル３４が重ね巻きされている。駆動用コイル３４は駆動回路５１に接続されており、駆動回路５１は駆動用の交流電力を駆動コイル３４へ供給する。駆動回路５１は定電流源（実効値）で、圧入工程において駆動用コイル３４への供給電流の周波数と振幅を後述のように変更することができる。検出用コイル３３はコンピュータ等で構成される検出回路５２に接続されている。検出回路５２は定電圧源（実効値）で、例えば周波数１００Ｈｚで電圧２００Ｖを検出回路５２から検出用コイル３３に印加して、図３に示すように超磁歪素子３２への印加荷重を変化させると、これに応じてほぼ直線的に検出コイル３３の電流が変化する。この電流値を検出することで、エアシリンダ３１から超磁歪素子３２への印加荷重（すなわち圧入荷重）を正確に知ることができる。
【００１５】
図２において、駆動用コイル３４の周囲には、超磁歪素子３２の線形変形範囲を拡大するためのバイアス磁界を生成する永久磁石３５が配設されている。超磁歪素子３２の下面にはプッシュロッド３５の基端が当接し、その先端はハウジング３１外へ突出して、ここに圧入ヘッド４（図１）が結合されている。プッシュロッド３６とハウジング３１内壁との間には皿バネ３７が設けられて、超磁歪素子３２に予荷重を付与している。
【００１６】
表１には、駆動回路５１から駆動用コイル３４へ供給される電流値（Ａ）と周波数（Ｈｚ）によって超磁歪素子３２の振幅（μｍ）がどのように変化するのか、その一例を示す。これによると、周波数が高くなると全体として振幅は小さくなり、また、電流値が大きくなると全体として振幅は大きくなる。なお、括弧内の数字は駆動回路５１の電源容量による限界電流であり、実際の出力電流はこの限界電流に抑えられている。
【００１７】
【表１】
2007030063.tif 000003
【００１８】
このような圧入装置で部品Ｐ（図１）を被圧入部材Ｒ内に圧入する場合には、エアシリンダ２を下方へ伸長させて圧入ヘッド４の先端を部品Ｐに当て、この状態で圧入荷重を次第に上げて当該荷重が所定値に達した後に、駆動用コイル３４に通電して周期的な交番磁界を生じさせる。超磁歪素子３２は交番磁界によって周期的に伸縮変形させられて圧入ヘッド４を起振し、この状態で圧入工程が進行させられる。検出回路５２では検出用コイル３４の電流から圧入荷重を検出して、その変化より圧入の各工程を判定する。
【００１９】
すなわち、図４には正常な圧入工程における荷重変化の一例を示し、図のａ点、ｂ点、ｃ点、ｄ点はそれぞれ、圧入ヘッド４が部品Ｐに当接した点、超磁歪素子３２による起振が開始された点、圧入が開始された点、圧入が終了した点である。これによると、圧入の開始（ｃ点）から圧入荷重は次第に低下していき、圧入が完了すると（ｄ点）、いわゆる底付きによって圧入荷重は急増する。このような圧入荷重の変化より正常な圧入か否かや、圧入の開始・完了を検出することができる。
【００２０】
また、図５には各周波数において超磁歪素子３２の振動が規制される荷重（ＢＦ）の一例を示す。これによると、超磁歪素子３２の８００Ｈｚ程度までの振動を保障するにはエアシリンダ２による圧入荷重は２００Ｋｇｆ程度までにしておく必要がある。
【実施例】
【００２１】
表２には、円形開口内にリング体を圧入した場合の実験結果を示す。圧入代が３０μｍの時に、エアシリンダによる圧入荷重を２００Ｋｇｆにすると、超磁歪素子を振動させなくても圧入を完了させることができる。ここで、圧入荷重を軽減して１００Ｋｇｆとし、超磁歪素子を駆動電流１Ａ、４５０Ｈｚで振動させると、１５ｍｍの圧入ストロークのうち３ｍｍ程度しか圧入が進行しない。これに対して、圧入荷重を１００Ｋｇｆにしても、超磁歪素子の駆動電流の周波数を４５０Ｈｚから６００Ｈｚの間で漸次変化させると、特に５００Ｈｚ付近で圧入が大きく進行して全ストロークの圧入が完了する。
【００２２】
圧入代が７０μｍの時に、圧入荷重を２００Ｋｇｆにして超磁歪素子を駆動電流１Ａ、４５０Ｈｚで振動させても、１５ｍｍの圧入ストロークのうち３ｍｍ程度しか圧入が進行しない。これに対して同一圧入荷重で、超磁歪素子の駆動電流の周波数を４５０Ｈｚから８００Ｈｚの間で漸次変化させると、特に５００Ｈｚ付近で圧入が大きく進行して全ストロークの圧入が完了する。
【００２３】
圧入代が９０μｍの時に、圧入荷重を２５０Ｋｇｆにして超磁歪素子を駆動電流１Ａ、５５０Ｈｚで起振しても、１５ｍｍの圧入ストロークのうち６ｍｍ程度しか圧入が進行しない。これに対して同一圧入荷重で、超磁歪素子の駆動電流の周波数を４５０Ｈｚから７００Ｈｚの間で漸次変化させると、特に５５０Ｈｚ付近で圧入が大きく進行して全ストロークの圧入が完了する。
【００２４】
【表２】
2007030063.tif 000004
【図面の簡単な説明】
【００２５】
【図１】本発明の一実施形態における圧入装置の全体構成を示す図である。
【図２】起振体の縦断面図である。
【図３】圧入荷重と検出用コイル電流の関係を示すグラフである。
【図４】圧入工程での圧入荷重の変化を示すグラフである。
【図５】駆動電流の周波数とＢＦの関係を示すグラフである。
【符号の説明】
【００２６】
１…圧入器、２…エアシリンダ（押圧手段）、３…起振体、３２…超磁歪素子、３３…検出用コイル（検出手段）、３４…駆動用コイル（駆動手段）、４…圧入ヘッド、５１…駆動回路（駆動手段）、５２…検出回路（検出手段）、Ｐ…部品、Ｒ…被圧入部材７。
【図１】
2007030063.tif 000005
【図２】
2007030063.tif 000006
【図３】
2007030063.tif 000007
【図４】
2007030063.tif 000008
【図５】
2007030063.tif 000009